(57)【要約】      （修正有）【課題】着用者の腹やヒップへの刺激等によるシェイプアップの効果が十分に得られ、また、着用者が前屈姿勢をとった場合に、過度に腹を圧迫することが防止されるようにしたシェイプアップウェアを提供する。【解決手段】着用者の身体に比較的強く接する強圧部と弱く接する弱圧部とを設けたシェイプアップウェアであって、着用者の腹を締め付ける適宜幅の帯状の腹包囲部１ａ、ヒップを持ち上げる適宜幅の帯状のヒップ下包囲部１ｂ、及び前側において腹包囲部１ａから下方に延びる適宜形状の下腹当て部１ｃを、それぞれ強圧部とし、かつ、これらの部分が一連に連結されている。【選択図】図１
0003129943.tif 000002
【実用新案登録請求の範囲】
【請求項１】
着用者の身体に比較的強く接する強圧部と弱く接する弱圧部とを設けたシェイプアップウェアであって、着用者の腹を締め付ける適宜幅の帯状の腹包囲部（１ａ）、ヒップを持ち上げる適宜幅の帯状のヒップ下包囲部（１ｂ）、及び前側において腹包囲部（１ａ）から下方に延びる適宜形状の下腹当て部（１ｃ）を、それぞれ強圧部とし、かつ、これらの部分（１ａ）（１ｂ）（１ｃ）が一連に連結されていることを特徴とするシェイプアップウェア。
【請求項２】
腹包囲部（１ａ）の左右側部に、後方に向かって先細りの島状弱圧部（２ａ）（２ｂ）を設けた請求項１記載のシェイプアップウェア。
【請求項３】
前側において腹包囲部（１ａ）の下側にヒップ下包囲部（１ｂ）の両端部が連結し、ヒップ下包囲部（１ｂ）の両端部付近に下腹当て部（１ｃ）が連結しており、着用者が前屈姿勢をとると、腹包囲部（１ａ）に対してヒップ下包囲部（１ｂ）及び下腹当て部（１ｃ）が曲がるとともに、後側の腹包囲部（１ａ）とヒップ下包囲部（１ｂ）との間の弱圧部（２ｃ）が伸びるようになっている請求項１又は２記載のシェイプアップウェア。
【請求項４】
下腹当て部（１ｃ）が下方にテーパー状に延びる形状である請求項１、２又は３記載のシェイプアップウェア。
【請求項５】
着用者の大腿部を締め付ける大腿包囲部（３ａ）（３ｂ）を有する請求項１、２、３又は４記載のシェイプアップウェア。
【考案の詳細な説明】
【技術分野】
【０００１】
この考案は、下着、運動着あるいは普段着としてシェイプアップのために着用される、補正下着、スパッツ、シェイプアップパンツ等と称されるシェイプアップウェアに関するものである。
【背景技術】
【０００２】
従来のシェイプアップのために着用されるシェイプアップウェアとしては、特許文献１に記載の「シェイプアップ用のズボン」がある。この従来のシェイプアップウェアは、股上部と股下部からなる半ズボンに腹巻部を連結することにより位置ズレを防止しつつ、腹巻部で着用者の腹を締め付けられるようになっている。しかし、股上部と股下部からなる半ズボンは、生地のテンションの強さが全体的に一様であり、シェイプアップの対象である着用者のヒップに対する刺激を、部分的に強くできないものとなっていたため、ヒップへの刺激や、ヒップの持ち上げ等による、シェイプアップの効果が十分に得られていなかった。
【０００３】
また、前記半ズボンの生地のテンションの強さを腹巻部と同様とした場合には、生地には全体的に一様に強いテンションがかかるため、着用者がしゃがんだり、かがんだり等、前屈姿勢をとった場合に、後側（背中側）の部分が伸ばされると、前側（腹側）の部分も後方に強く引っ張られることになり、これによって着用者が苦痛を感じるほどに腹を圧迫することになる。
【特許文献１】実用新案登録第３１２７７２７号公報
【考案の開示】
【考案が解決しようとする課題】
【０００４】
そこで、この考案は、着用者の腹やヒップへの刺激等によるシェイプアップの効果が十分に得られ、また、着用者が前屈姿勢をとった場合に、過度に腹を圧迫することが防止されるようにしたシェイプアップウェアを提供することを課題とする。
【課題を解決するための手段】
【０００５】
この考案のシェイプアップウェアは、着用者の身体に比較的強く接する強圧部と弱く接する弱圧部とを設けたシェイプアップウェアであって、着用者の腹を締め付ける適宜幅の帯状の腹包囲部１ａ、ヒップを持ち上げる適宜幅の帯状のヒップ下包囲部１ｂ、及び前側において腹包囲部１ａから下方に延びる適宜形状の下腹当て部１ｃを、それぞれ強圧部とし、かつ、これらの部分が一連に連結されているものとしている。
【０００６】
腹包囲部１ａの左右側部に、後方に向かって先細りの島状弱圧部２ａ，２ｂを設けたものとすることができる。
【０００７】
前側において腹包囲部１ａの下側にヒップ下包囲部１ｂの両端部が連結し、ヒップ下包囲部１ｂの両端部付近に下腹当て部１ｃが連結しており、着用者が前屈姿勢をとると、腹包囲部１ａに対してヒップ下包囲部１ｂ及び下腹当て部１ｃが曲がるとともに、後側の腹包囲部１ａとヒップ下包囲部１ｂとの間の弱圧部２ｃが伸びるようになっているものとすることができる。
【０００８】
下腹当て部１ｃが下方にテーパー状に延びる形状であるものとすることができる。
【０００９】
また、着用者の大腿部を締め付ける大腿包囲部３ａ，３ｂを有するものとすることができる。
【考案の効果】
【００１０】
この考案のシェイプアップウェアは、上述のような構成を有しており、腹包囲部１ａ、ヒップ下包囲部１ｂ、及び下腹当て部１ｃが強圧部であり、しかもこれらの部分が一連に連結され一体的になっていることにより、これらの部分の締め付け力が特に強くなっているので、着用者の腹やヒップに対するシェイプアップの効果を十分に得ることができる。
【００１１】
腹包囲部１ａの左右側部に、後方に向かって先細りの島状弱圧部２ａ，２ｂを設けたものとすれば、着用時、後側において、前記両島状弱圧部２ａ，２ｂ間にクロス状の引っ張り力が生じるとともに、前側において、前記各島状弱圧部２ａ，２ｂとヒップ下包囲部１ｂとの間にクロス状の引っ張り力が生じることとなり、これによって、腹包囲部１ａとヒップ下包囲部１ｂとにわたる締め付けのループが形成されるので、着用者の動作によって、着用者の腹とヒップに強い刺激が加えられるようになる。
【００１２】
前側において腹包囲部１ａの下側にヒップ下包囲部１ｂの両端部が連結し、ヒップ下包囲部１ｂの両端部付近に下腹当て部１ｃが連結しており、着用者が前屈姿勢をとると、腹包囲部１ａに対してヒップ下包囲部１ｂ及び下腹当て部１ｃが曲がるとともに、後側の腹包囲部１ａとヒップ下包囲部１ｂとの間の弱圧部２ｃが伸びるようになっているものとすれば、着用者がしゃがんだり、かがんだり等、前屈姿勢をとった場合、腹包囲部１ａに対してヒップ下包囲部１ｂ及び下腹当て部１ｃが曲がる、すなわちヒップ下包囲部１ｂ及び下腹当て部１ｃが、腹包囲部１ａとの連結部分を支点として、シーソーのように回動するとともに、前記弱圧部２ｃが伸びることとなるので、強圧部が過度に着用者の身体、特に腹を圧迫することを防止できる。
【００１３】
下腹当て部１ｃを、下方にテーパー状に延びる形状とすることにより、着用者の大腿部の動き易さを損なうことなく、下腹に刺激を与えるようにすることができる。
【００１４】
また、着用者の大腿部を締め付ける大腿包囲部３ａ，３ｂを有するものとすることにより、着用者の大腿部（太もも）の引き締めの効果を発揮できるようになる。
【考案を実施するための最良の形態】
【００１５】
以下、この考案の好適な実施形態を、図面を参照して説明する。
【００１６】
図１はこの考案の実施形態のシェイプアップウェアの正面図、図２は前方からの斜視図、図３は後方からの斜視図、図４は強圧部を示す説明図、図５は締め付けのループを示す斜め前方からの説明図、図６は締め付けのループを示す斜め後方からの説明図、図７は着用者が前屈姿勢をとる場合の生地の動きを示す説明図である。なお、いずれの図も着用状態でのシェイプアップウェアの形態を示している。
【００１７】
このシェイプアップウェアは、着用者の身体に比較的強く接する強圧部と弱く接する弱圧部とを設けたシェイプアップウェアであって、着用者の腹を締め付ける適宜幅の帯状の腹包囲部１ａ、ヒップを持ち上げる適宜幅の帯状のヒップ下包囲部１ｂ、及び前側において腹包囲部１ａから下方に延びる適宜形状の下腹当て部１ｃを、それぞれ強圧部とし、かつ、これらの部分が一連に連結されたものとしている。
【００１８】
生地は、各種の合成繊維等適宜の素材からなるものとすることができる。例えば、ナイロン繊維が８１重量％、ポリウレタン繊維が１９重量％の合成繊維とし、さらにマイナスイオンや遠赤外線を放出するといわれているゲルマニウム、抗菌作用があるといわれているチタン、制電性、抗菌作用、脱臭作用があるといわれる銀等を、前記繊維にイオン化結合ないし化学結合させたものとすることができる。なお、この実施形態のシェイプアップウェアは、着用者のウエストから膝上までを覆うものとしているが、特にこの構成に限定されない。
【００１９】
強圧部は弱圧部よりも生地のテンションを強めた部分である。強圧部である腹包囲部１ａ、ヒップ下包囲部１ｂ、及び下腹当て部１ｃは、弱圧部に比べて、生地に２０％〜５０％増しのテンションがかけられたものとしている。
【００２０】
腹包囲部１ａは、前側がほぼ一様の太さの帯状で、左右側部が少し細く、後側の中央において前側とほぼ同じ太さになっている。具体的には、腹包囲部１ａの上縁は全周にわたってほぼ高さに変化がなく、下縁が左右側部から各後方にかけて上縁側に近づき、そして、後側の中央に向かって上縁側から離れるように、曲線的になったものとしている。腹包囲部１ａは、着用者のウエスト全周を包囲し、よくフィットするようになっている。特に、後側において、中央に位置する部分が着用者の背中の曲線に沿った曲面となり、しっかりと密着した状態が保たれる。
【００２１】
ヒップ下包囲部１ｂは、腹包囲部１ａよりも細めの、ほぼ一様な幅の帯状であり、両端部が前側の中央で互いに接するようにして、腹包囲部１ａの下側（下縁）に連結しており、そこから、左斜め下方向、右斜め下方向にそれぞれ延び、後側において着用者の臀部の下側のラインに沿うようにしてヒップ下を囲むようになっている。
【００２２】
下腹当て部１ｃは、略菱形で、たるみがちな下腹部を押さえるようにしたものであり、上部の２辺が腹包囲部１ａの下側において、前記ヒップ下包囲部１ｂの両端部付近に接するようにして連結されている。下腹当て部１ｃは、下部が下方にテーパー状に延びる形状となっているため、着用者の大腿部の動き易さを損なうことなく、下腹に刺激を与えられるようになっている。
【００２３】
また、この実施形態では、着用者の膝上に当たる部分を大腿包囲部３ａ，３ｂとして、前記腹包囲部１ａ等と同様に着用者の身体に比較的強く接するものとしている。大腿包囲部３ａ，３ｂは、、大腿部を締め付けるとともに、このシェイプアップウェアの位置ずれを防止するようになっている。
【００２４】
弱圧部は、腹包囲部１ａの左右側部に設けた島状弱圧部２ａ，２ｂ、腹包囲部１ａとヒップ下包囲部１ｂとの間の部分２ｃ、腹包囲部１ａの上方の部分２ｄ、ヒップ下包囲部１ｂ及び下腹当て部１ｃと大腿包囲部３ａ，３ｂとの間の部分２ｅ、さらに、大腿包囲部３ａ，３ｂの下方の部分２ｆ，２ｇ、としている。
【００２５】
また、弱圧部の中でも、着用者の左右の足の付け根付近の部分２ｈ，２ｉと、左右のヒップの中央付近からウエスト付近にいたる部分２ｊ，２ｋは、特にテンションの弱い、弛んだ部分としている。この部分は、余分な脂肪分の多い身体の部分の逃げ場所となるようにしており、これによってこのシェイプアップウェアが快適に着用できるとともに、身体のラインを美しく保つことが可能となっている。
【００２６】
強圧部である腹包囲部１ａ、ヒップ下包囲部１ｂ、及び下腹当て部１ｃは、一連に連結して一体的になり、全体の中で締め付け力が特に強いため、着用者の腹及びヒップが十分に刺激される。しかも、着用者が身体を動かしても、着用者の腹に巻かれた腹包囲部１ａが、ヒップ下包囲部１ｂ及び下腹当て部１ｃをしっかりと引っ張るようになっているため、腹への締め付け、ヒップの持ち上げ等による、シェイプアップの効果が十分に得られることとなる。
【００２７】
なお、前記の一連に連結とは、弱圧部を経由せずに腹包囲部１ａ、ヒップ下包囲部１ｂ、及び下腹当て部１ｃを結ぶ線を観念することができる態様となっていることを意味する。前記三者のうち一者が他の二者の両方に直接的に連結している必要はなく、例えば、腹包囲部１ａがヒップ下包囲部１ｂと直接的に連結し、下腹当て部１ｃがヒップ下包囲部１ｂと直接的に連結しているが、腹包囲部１ａと下腹当て部１ｃとは直接的に連結していないような場合も含まれる。
【００２８】
さらに、このシェイプアップウェアは、腹包囲部１ａの左右側部に、後方に向かって先細りの島状弱圧部２ａ，２ｂを設けていることにより、図５、図６に示したように、着用時、後側において、前記両島状弱圧部２ａ，２ｂ間にクロス状の引っ張り力（図中矢印４，５）が生じるとともに、前側において、前記各島状弱圧部２ａ，２ｂとヒップ下包囲部１ｂとの間にクロス状の引っ張り力（図中矢印６，７）が生じることとなり、これによって、腹包囲部１ａとヒップ下包囲部１ｂとにわたる締め付けのループが形成される。
【００２９】
すなわち、図６に示したように、後側において、着用者の左側の前記島状弱圧部２ａ，２ｂの上方部分と右側の前記島状弱圧部２ａ，２ｂの下方部分との間と、左側の前記島状弱圧部２ａ，２ｂの下方部分と右側の前記島状弱圧部２ａ，２ｂの上方部分との間に、クロス状に引っ張り力４，５がかかり、さらに、前側において、図５に示したように、前記各島状弱圧部２ａ，２ｂの各下方部分にかかる引っ張り力６，７が、クロス状に、ヒップ下包囲部１ｂを引っ張ることになる。これによって、腹包囲部１ａとヒップ下包囲部１ｂとで、「８」の字が交差部分で折れ曲がったような立体的な形状（図４参照）の締め付けのループが形成され、着用者の動作によって、着用者の腹とヒップに強い刺激が加えられるようになっている。
【００３０】
また、このシェイプアップウェアは、着用者が前屈姿勢をとると、腹包囲部１ａに対してヒップ下包囲部１ｂ及び下腹当て部１ｃが曲がるとともに、後側の腹包囲部１ａとヒップ下包囲部１ｂとの間の弱圧部２ｃが伸びるようになっており、図７に示したように、着用者がしゃがんだり、かがんだり等、前屈姿勢をとった場合、腹包囲部１ａに対してヒップ下包囲部１ｂ及び下腹当て部１ｃが曲がる、すなわちヒップ下包囲部１ｂ及び下腹当て部１ｃが、腹包囲部１ａとの連結部分を支点として、シーソーのように回動するとともに、前記弱圧部２ｃが伸びることとなるので、強圧部が過度に着用者の腹を圧迫することを防止できるようになっている。
【図面の簡単な説明】
【００３１】
【図１】この考案の実施形態のシェイプアップウェアの正面図である。
【図２】この考案の実施形態のシェイプアップウェアの前方からの斜視図である。
【図３】この考案の実施形態のシェイプアップウェアの後方からの斜視図である。
【図４】この考案の実施形態のシェイプアップウェアの強圧部を示す説明図である。
【図５】この考案の実施形態のシェイプアップウェアの締め付けのループを示す斜め前方からの説明図である。
【図６】この考案の実施形態のシェイプアップウェアの締め付けのループを示す斜め後方からの説明図である。
【図７】この考案の実施形態のシェイプアップウェアの着用者が前屈姿勢をとる場合の生地の動きを示す説明図である。
【符号の説明】
【００３２】
１ａ  腹包囲部
１ｂ  ヒップ下包囲部
１ｃ  下腹当て部
２ａ，２ｂ  島状弱圧部
２ｃ  腹包囲部とヒップ下包囲部との間の弱圧部
３  大腿包囲部
【図１】
0003129943.tif 000003
【図２】
0003129943.tif 000004
【図３】
0003129943.tif 000005
【図４】
0003129943.tif 000006
【図５】
0003129943.tif 000007
【図６】
0003129943.tif 000008
【図７】
0003129943.tif 000009